(57)【要約】      （修正有）【課題】大型化したり移動がし難くなったりすることなく発電量を増やすことができる太陽電池パネルを備えた移動式電源装置を提供する。【解決手段】下部に移動用の車輪が設けられた直方体の箱体から成るハウジングを備え、前記ハウジングの前面に、第一太陽電池パネルを備えた第一枠体と、ハウジングの前面の他方の縦辺を軸に設けられた第二太陽電池パネルを備えた第二枠体と、ハウジングの前面の上辺を軸に回動に設けられた第三太陽電池パネルとを設け、前記ハウジングの一方の側面に、第四太陽電池パネルを備えた第三枠体を設け、前記ハウジングの他方の側面に、第五太陽電池パネルを備えた第四枠体を設け、各枠体に、枠体をハウジングから離れる方向に開いた時に太陽電池パネルがハウジングの正面方向を向き、枠体をハウジングに沿うように閉じた時に太陽電池パネルがハウジング側に向くようにそれぞれ太陽電池パネルを設ける。【選択図】図１
2011243921.tif 000002
【特許請求の範囲】
【請求項１】
内部に、バッテリー、制御装置及びインバーターが設けられ、下部に移動用の車輪が設けられた直方体の箱体から成るハウジングを備え、
前記ハウジングの前面に、ハウジングの前面の一方の縦辺を軸に少なくとも１８０度回動可能に設けられた第一太陽電池パネルを備えた第一枠体と、ハウジングの前面の他方の縦辺を軸に少なくとも１８０度回動可能に設けられた第二太陽電池パネルを備えた第二枠体と、ハウジングの前面の上辺を軸に回動に設けられた第三太陽電池パネルとを設け、
前記ハウジングの一方の側面に、ハウジングの側面の後方の縦辺を軸に少なくとも９０度回動可能に設けられた第四太陽電池パネルを備えた第三枠体を設け、
前記ハウジングの他方の側面に、ハウジングの側面の後方の縦辺を軸に少なくとも９０度回動可能に設けられた第五太陽電池パネルを備えた第四枠体を設け、
各枠体に、枠体をハウジングから離れる方向に開いた時に太陽電池パネルがハウジングの正面方向を向き、枠体をハウジングに沿うように閉じた時に太陽電池パネルがハウジング側に向くように、それぞれ太陽電池パネルを設けた
ことを特徴とする太陽電池パネルを備えた移動式電源装置。
【請求項２】
枠体に設けられた太陽電池パネルが、各々、各枠体の上辺を軸に回動可能に枠体に設けられている
ことを特徴とする請求項１に記載の移動式電源装置。
【発明の詳細な説明】
【技術分野】
【０００１】
本発明は太陽電池パネルを備えた移動式の電源装置に関する。
【背景技術】
【０００２】
従来から、建物の屋根の上に太陽電池パネルを設けて該太陽電池パネルで発電した電力を建物の中で使用したり、街路灯に太陽電池パネルを設けて発電した電力を街路灯の照明に使用したりしている。
近年では、地球温暖化防止のための自然エネルギ促進の一環として太陽電池パネルを普及拡大するために、国や地方自治体が太陽光パネルの設置費用を補助する補助金制度もあり、屋根に太陽電池パネルを設置している建物も多くなってきている。
しかし、建物の屋根や街路灯に設置した太陽電池パネルでは、発電した電力の使用場所が限られてしまう。
このような問題を解消するために、内部にバッテリーを備えた移動可能なハウジングに太陽電池パネルを設けて、任意の場所で太陽電池パネルで発電した電力を使用することを可能にした移動式ソーラーシステムが開発されている（特許文献１）。
【先行技術文献】
【特許文献】
【０００３】
【特許文献１】特開２０１０−３４１９０公報
【発明の概要】
【発明が解決しようとする課題】
【０００４】
図５は、特許文献１に開示された従来の移動式ソーラーシステムの概略斜視図である。
図面に示すように、この移動式ソーラーシステムは、移動可能な台車３０の上に、内部にバッテリーを収容したハウジング３１を設け、該ハウジング３１の上面に太陽電池パネル３２を設けて成る。
前記台車３０には、支柱３３及び照明具３４が設けられており、前記照明具３４には、太陽電池パネル３２によって充電されたバッテリーの電力が供給されるように構成されている。
また、ハウジング３１の背面にはバッテリーの電力を出力するためのコンセント３５が設けられている。
上記したように構成された従来の移動式ソーラーシステムによれば、太陽電池パネルで充電した電力を任意の場所で使用することができるという効果を奏する。しかし、上記した従来の移動式ソーラーシステムは、発電のため太陽電池パネルがハウジングの上面に一枚設けられているだけであるため発電量が少なく、使用できる電力量も少ないという問題がある。
しかし、発電量を増やすために太陽電池パネルを増やしたり、大きくしたりすると、システム全体が大型化してしまい移動がし難くなるという問題が生じる。
本発明は、上記した問題を解決し、大型化したり移動がし難くなったりすることなく発電量を増やすことができる太陽電池パネルを備えた移動式電源装置を提供することを目的としている。
【課題を解決するための手段】
【０００５】
上記した目的を達成するために、本発明に係る太陽電池パネルを備えた移動式電源装置は、内部に、バッテリー、制御装置及びインバーターが設けられ、下部に移動用の車輪が設けられた直方体の箱体から成るハウジングを備え、前記ハウジングの前面に、ハウジングの前面の一方の縦辺を軸に少なくとも１８０度回動可能に設けられた第一太陽電池パネルを備えた第一枠体と、ハウジングの前面の他方の縦辺を軸に少なくとも１８０度回動可能に設けられた第二太陽電池パネルを備えた第二枠体と、ハウジングの前面の上辺を軸に回動に設けられた第三太陽電池パネルとを設け、前記ハウジングの一方の側面に、ハウジングの側面の後方の縦辺を軸に少なくとも９０度回動可能に設けられた第四太陽電池パネルを備えた第三枠体を設け、前記ハウジングの他方の側面に、ハウジングの側面の後方の縦辺を軸に少なくとも９０度回動可能に設けられた第五太陽電池パネルを備えた第四枠体を設け、各枠体に、枠体をハウジングから離れる方向に開いた時に太陽電池パネルがハウジングの正面方向を向き、枠体をハウジングに沿うように閉じた時に太陽電池パネルがハウジング側に向くように、それぞれ太陽電池パネルを設けたことを特徴としている。
【発明の効果】
【０００６】
本発明に係る太陽電池パネルを備えた移動式電源装置は、内部に、バッテリー、制御装置及びインバーターが設けられ、下部に移動用の車輪が設けられた直方体の箱体から成るハウジングを備え、前記ハウジングの前面に、ハウジングの前面の一方の縦辺を軸に少なくとも１８０度回動可能に設けられた第一太陽電池パネルを備えた第一枠体と、ハウジングの前面の他方の縦辺を軸に少なくとも１８０度回動可能に設けられた第二太陽電池パネルを備えた第二枠体と、ハウジングの前面の上辺を軸に回動に設けられた第三太陽電池パネルとを設け、前記ハウジングの一方の側面に、ハウジングの側面の後方の縦辺を軸に少なくとも９０度回動可能に設けられた第四太陽電池パネルを備えた第三枠体を設け、前記ハウジングの他方の側面に、ハウジングの側面の後方の縦辺を軸に少なくとも９０度回動可能に設けられた第五太陽電池パネルを備えた第四枠体を設け、各枠体に、枠体をハウジングから離れる方向に開いた時に太陽電池パネルがハウジングの正面方向を向き、枠体をハウジングに沿うように閉じた時に太陽電池パネルがハウジング側に向くように、それぞれ太陽電池パネルを設けているので、各枠体をハウジングに沿うように閉じるとコンパクトな長方体となって移動し易く、また、各枠体をハウジングから離れる方向に開くと、５枚の太陽電池パネルが現れるため大容量の電力をバッテリーに充電することが可能になるという効果を奏する。また、枠体を閉じた時に、全ての太陽電池パネルが内側に隠れるので、移動時に太陽電池パネルが傷つく心配がない。
【図面の簡単な説明】
【０００７】
【図１】本発明に係る太陽電池パネルを備えた移動式電源装置の枠体を開いた状態を示す斜視図である。
【図２】（ａ）及び（ｂ）は図１に示した移動式電源装置の概略上面図であり、（ａ）は枠体を閉じた状態を示し、（ｂ）は枠体を開いた状態を示している。
【図３】移動式電源装置の内部構造を示す概略ブロック図である。
【図４】移動式電源装置のハウジングの裏面を示す図である。
【図５】従来の移動式ソーラーシステムを示す斜視図である。
【発明を実施するための形態】
【０００８】
以下、添付図面を参照して本発明に係る太陽電池パネルを備えた移動式電源装置の実施の形態について説明していく。
【０００９】
図中、符号１はハウジングを示している。このハウジング１は、直方体の箱体から成り、その底面に移動用の車輪２を備えている。
ハウジング１の前面には、第一枠体３と第二枠体４とが設けられている。第一枠体３は、前面の一方の縦辺を軸に１８０度回動可能に設けられ、第二枠体４は、前面の他方の縦辺を軸に１８０度回動可能に設けられている（図２（ａ）及び（ｂ）参照）。
第一枠体３には、第一太陽電池パネル５が、第一枠体３の上辺を軸に回動可能に設けられており、第二枠体４には、第二太陽電池パネル６が、第二枠体４の上辺を軸に回動可能に設けられている。
上記したように構成された第一枠体３及び第二枠体４は、未使用時は第一及び第二太陽電池パネル５及び６を、それぞれ、垂直な状態で収容し、使用時には、第一及び第二太陽電池パネル５及び６を、上辺を軸に回動させて斜め上方に向ける（図１参照）。図１において符号３ａ及び４ａは、それぞれ第一枠体３及び第二枠体４に設けられた脚体を示しており、これらの脚体３ａ及び４ａは、使用時には下方に伸び（図１参照）、未使用時には上方に縮めることができるように構成されている。
また、ハウジング１の前面には、ハウジング１の前面の上辺を軸に回動可能に第三太陽電池パネル７が設けられている。
ハウジング１の左右の側面には、それぞれ、側面の後側の縦辺を軸に９０度回動可能に第三枠体８及び第四枠体９が設けられている。
第三枠体８には、第四太陽電池パネル１０が、第三枠体８の上辺を軸に回動可能に設けられており、第四枠体９には、第五太陽電池パネル１１が、第四枠体９の上辺を軸に回動可能に設けられている。
上記したように構成された第三枠体８及び第四枠体９は、未使用時は第三及び第四太陽電池パネル１０及び１１を、それぞれ、垂直な状態で収容し、使用時には、第三及び第四太陽電池パネル１０及び１１を、上辺を軸に回動させて斜め上方に向ける（図１参照）。図１において符号８ａ及び９ａは、それぞれ第三枠体８及び第四枠体９に設けられた脚体を示しており、これらの脚体８ａ及び９ａは、使用時には下方に伸び（図１参照）、未使用時には上方に縮めることができるように構成されている。
上記したように構成された第一枠体３、第二枠体４、第三枠体８及び第四枠体９は、それぞれ、未使用時には太陽電池パネル５，６，１０及び１１を垂直な状態で収容して、ハウジング１に沿うように折り畳まれて収容される（図２（ａ）参照）。そして、この収容時において、第一枠体３、第二枠体４、第三枠体８及び第四枠体９の太陽電池パネル５，６，１０及び１１は、全て内側、即ち、ハウジング１側を向き、かつ、第三太陽電池パネル７の前方は第一枠体３及び第二枠体４で塞がれるので、表面に露出する太陽電池パネルがなくなる。これにより、移動時又は夜間等の充電を行わない時間帯に太陽電池パネルを傷つける心配がなくなる。
充電を行う時には、ハウジング１の前面に設けられた第一枠体３及び第二枠体４を、それぞれ左右に１８０度開き、さらに、側面に設けられた第三枠体８及び第四枠体９を、それぞれ左右に９０度開くことによって、５枚の太陽電池パネル５，６，７，１０及び１１で発電を行うことができるので、高効率に大容量の電力を発電することが可能になる。
【００１０】
図３に示すように、ハウジング１の内部には、制御装置２０、バッテリー２１及びインバーター２２が設けられており、各太陽電池パネル５，６，７，１０及び１１は制御装置２０を介してバッテリー２１に接続されている。制御装置２０は、充電回路を備え、バッテリー２１の充電状態に応じて定電流充電及び定電圧充電を切り替える。インバーター２２は、バッテリー２１に充電された電力を直流及び交流に変換して外部に出力する。
インバーター２２は、ハウジング１の裏面に設けられたコンセント２３及びハウジング１に設けられた照明具２４に接続されている。
前記した照明具２４は、ハウジング１の上面に設けられており、必要に応じて利用され得る。
図４は、ハウジング１の裏面を示しており、図面に示すようにハウジング１の裏面には、前記したコンセント２３の他、発電量や消費電力等を表示し得る制御パネル２５が設けられる。
【符号の説明】
【００１１】
１  ハウジング
２  車輪
３  第一枠体
３ａ  脚体
４  第二枠体
４ａ  脚体
５  第一太陽電池パネル
６  第二太陽電池パネル
７  第三太陽電池パネル
８  第三枠体
８ａ  脚体
９  第四枠体
９ａ  脚体
１０  第四太陽電池パネル
１１  第五太陽電池パネル
２０  制御装置
２１  バッテリー
２２  インバーター
２３  コンセント
２４  照明具
２５  制御パネル
【図２】
2011243921.tif 000003
【図３】
2011243921.tif 000004
【図４】
2011243921.tif 000005
【図５】
2011243921.tif 000006
【図１】
2011243921.tif 000007